(57)【要約】      （修正有）【課題】１３５フィルムとＡＰＳフィルムを扱う画像読取装置において、読み取り領域の一部を遮光する遮光部材を駆動制御するに際して、配線の屈曲による断線の問題を解消する。【解決手段】１３５フィルムのフルサイズ画像とパノラマ画像を読み取る第１搬送経路と、ＡＰＳフィルムのコマ画像を読み取る第２搬送経路とを有する可動ユニットを固定本体側に対して移動させていずれかの経路を開口部に位置させる移動機構を備え、パノラマ画像の幅方向外側を遮光する第１遮光部４０ｂを有する遮光部材４０を第１遮光部４０ｂによる遮光が行われない第１位置と、第１遮光部による遮光が行われる第２位置に切り替るための遮光駆動部とを備え、第１搬送経路を開口部に位置させたときに、遮光部材４０を切り替えする駆動部材と遮光部材４０とが連結される。【選択図】図５
2005275314.tif 000002
【特許請求の範囲】
【請求項１】
現像済み第１写真フィルムに形成されたコマ画像であって、フィルム幅方向の寸法が第１の寸法を有する第１コマ画像と、第１の寸法よりも短い第２の寸法を有する第２コマ画像の少なくとも２種類のコマ画像を読み取るための第１搬送経路と、
現像済み第２写真フィルムに形成されたコマ画像を読み取るための第２搬送経路と、
コマ画像を読み取るため光源から照射される光が通過可能な読み取り開口部と、
第１搬送経路と第２搬送経路とを有する可動ユニットと、
この可動ユニットを固定本体側に対して移動させ、いずれかの搬送経路を読み取り開口部に位置させるためのユニット移動機構を備えた画像読取装置であって、
第２コマ画像が形成されている領域よりも幅方向外側を遮光するための第１遮光部と、
少なくとも第１遮光部が形成された遮光部材であって、幅方向両側に設けられた一対の遮光部材と、
これら遮光部材を駆動して、第１遮光部による遮光が行われない第１位置と、第１遮光部による遮光が行われる第２位置の、少なくとも２つの位置に切り替え可能にするための遮光駆動部とを備え、
さらに、この遮光駆動部は、駆動源と、
遮光部材を切り替え駆動する駆動部材とを備えており、
駆動源及び駆動部材が前記固定本体側に設けられ、遮光部材が可動ユニット側に設けられ、
第１搬送経路を読み取り開口部に位置させたときに、前記駆動部材と前記遮光部材とが連結されるように構成していることを特徴とする画像読取装置。
【請求項２】
前記一対の遮光部材を、連動して動作させるためのリンク機構が備えられていることを特徴とする請求項１に記載の画像読取装置。
【請求項３】
読み取り対象であるコマ画像のサイズ情報に基づいて、遮光部材を切り替えできるように前記遮光駆動部を制御する遮光制御部が備えられていることを特徴とする請求項１又は２に記載の画像読取装置。
【請求項４】
前記遮光部材には、第１の寸法と第２の寸法の間の第３の寸法を有する第３コマ画像を読み取るに際し、第３コマ画像が形成されている領域よりも幅方向外側を遮光するための第２遮光部が更に設けられていることを特徴とする請求項１〜４のいずれか１項に記載の画像読取装置。
【請求項５】
第１コマ画像を読み取るに際して、写真フィルムに形成されているＤＸコードの領域を遮光できるように、第３遮光部が遮光部材に設けられていることを特徴とする請求項１〜３のいずれか１項に記載の画像読取装置。
【発明の詳細な説明】
【技術分野】
【０００１】
本発明は、現像済み第１写真フィルムに形成されたコマ画像であって、フィルム幅方向の寸法が第１の寸法を有する第１コマ画像と、第１の寸法よりも短い第２の寸法を有する第２コマ画像の少なくとも２種類のコマ画像を読み取るための第１搬送経路と、現像済み第２写真フィルムに形成されたコマ画像を読み取るための第２搬送経路と、コマ画像を読み取るため光源から照射される光が通過可能な読み取り開口部と、第１搬送経路と第２搬送経路とを有する可動ユニットと、この可動ユニットを固定本体側に対して移動させ、いずれかの搬送経路を読み取り開口部に位置させるためのユニット移動機構を備えた画像読取装置に関するものである。
【背景技術】
【０００２】
写真処理システムにおいて、現像済み写真フィルムに形成されたコマ画像を読み取り、これをデジタルデータ化して画像を写真感光材料に焼付露光し、写真プリントを作成する。このコマ画像の読み取りを行うための画像読取装置が設けられている。この画像読取装置には、フィルムスキャナーが設けられており、１３５タイプの写真フィルム（第１写真フィルム）と、ＡＰＳフィルム（第２写真フィルム）の両方を扱うことができるフィルムスキャナーが知られており、両者はフィルム幅が異なるため、第１写真フィルムを搬送させるための第１搬送経路と、第２写真フィルムを搬送するための第２搬送経路とが別々に設けられている。画像を読み取るために、光源（例えば、ハロゲンランプ）から照射される光をフィルム面に導く光学系が構成され、フィルムスキャナーに形成された読み取り開口部を介して光がフィルム面に導入される。読み取り光学系が第１・第２写真フィルムで共用するため、読み取り開口部は共通に使用される。そのため、第１搬送経路と第２搬送経路は、可動ユニットの上に搭載されている、この可動ユニットを固定本体側に対して移動させることで、いずれか１つの搬送経路を読み取り開口部の位置させるようにしている。そのためにユニット移動機構が設けられている（例えば、下記特許文献１）。
【０００３】
一方、写真フィルムの画像の読み取りには、プレスキャニングと本スキャニングの２つがある。プレスキャニングは、画像を粗い画素数で読み取るものであり、読み取られたコマ画像がサムネイル画像の形でモニター画面に表示される。オペレータは、モニター画面を見ながら、各コマ画像について色・濃度の判定やその他の判定処理（プリントサイズの設定、プリント枚数の設定、その他の特殊処理等を行うものであり、以下、プレジャッジと称する。）を行う。色・濃度について、適切な写真プリントが得られるように必要に応じて色・濃度の補正値を入力する。また、プリントサイズ（フルサイズ、パノラマサイズなど）の設定変更も必要に応じて行われる。プレスキャニングにより取得された画像データは、以上のようなプレジャッジのために供されるものである。なお、パノラマサイズの画像（第２コマ画像に相当）のフィルム幅方向の寸法（第２の寸法）は、フルサイズの画像（第１コマ画像に相当）の幅寸法（第１の寸法）に比べて短くなっている。
【０００４】
プレジャッジが行われた後、本スキャニングが行われ、画像を高い画素数で読み取るものである。この時読み取られるコマ画像の画像データが、実際の写真プリントの作成に供されるものである。読み取られた画像データと、プレジャッジのときに入力された補正値等に基づいて、画像処理が行われプリント用の画像データが生成される。
【０００５】
ここで、１３５タイプのネガフィルムの本スキャニングにおいて、オーバー露光のパノラマサイズのコマ画像（パノラマ画像）を読み取る場合に、次のような問題が生じる。オーバー露光された画像の濃度と、その周辺部の濃度とを比較すると、画像部分は濃度が濃くなっているが、周辺部は、いわゆる素抜け部であり、濃度が薄くなっている。読み取り開口部の幅方向の寸法は、フルサイズの画像を読み取るための寸法が確保されているため、この開口部でパノラマ画像を読み取ると、パノラマ画像の部分と素抜け部の両方が読み取りセンサー（ＣＣＤ）により読み取られる。
【０００６】
オーバー露光されたパノラマ画像を読み取る場合に、画像信号の蓄積時間を長くしようとすると、濃度の薄い素抜け部からの透過光量が増えてしまい、これが原因で電荷があふれるブルーミングという現象が生じやすくなり画質を低下させることになる。また、オーバー露光の場合、画像形成領域に比べて素抜け部からの透過光量は大きいため、スミヤという現象も生じやすくなる。
【０００７】
そこで、パノラマ画像の画像読み取りを行う場合には、画像が形成されている領域の幅方向外側を遮光する機構が知られている。パノラマ画像の読み取りを行う場合には、遮光部材を作動させて幅方向外側を遮光させることで、素抜け部からの透過光がＣＣＤに到達しないようにする。これにより、上記スミアやブルーミングといった現象をなくすことができる。
【０００８】
ちなみに、ＡＰＳフィルムの場合でもフルサイズやパノラマサイズの大きさの写真プリントを作成できるが、ＡＰＳフィルムの場合は、写真フィルムに写しこまれている画像の大きさは常にフルサイズであり、プリントサイズは磁気記録層にデータとして書き込むことができるようになっている。従って、ＡＰＳフィルムの場合は、上記のような問題は生じない。
【０００９】
一方、１３５フィルムとＡＰＳフィルムの両方を取り扱う構造のフィルムキャリアにおいては、上記遮光部材を搭載した上で可動ユニットを構成する必要がある。パノラマ画像の場合に、所定の領域を遮光させるためには、遮光部材を駆動する遮光駆動部が必要であり、この遮光駆動部としては駆動源（アクチュエータ）、駆動源の駆動力を遮光部材に伝達するための駆動部材が必要とされる。
【００１０】
遮光部材、駆動部材、駆動源の駆動力伝達構成を考えると、これらはすべて可動ユニットに搭載することが好ましい。しかしながら、すべてを可動ユニットに搭載してしまうと、次のような課題が存在する。すなわち、駆動源に対して電力を供給する必要があるが、電力の供給は固定本体側から可動ユニット側へと行うことになる。また、遮光部材を作動させるか否かの制御信号も必要である。そのための電力供給配線や信号伝達用配線が必要であるが、可動ユニットを移動させるときに、配線も移動しなければならず、配線の屈曲により断線の怖れがある。従って、配線をどのようにするかで設計上の制約が生じてしまう。
【特許文献１】特開２００１−５１３５３号公報
【発明の開示】
【発明が解決しようとする課題】
【００１１】
本発明は上記実情に鑑みてなされたものであり、その課題は、第１写真フィルムと第２写真フィルムを扱う画像読取装置において、画像読み取り領域の一部を遮光する遮光部材を駆動制御するに際して、配線の屈曲による断線の問題等が生じない画像読取装置を提供することである。
【課題を解決するための手段】
【００１２】
上記課題を解決するため本発明に係る画像読取装置は、
現像済み第１写真フィルムに形成されたコマ画像であって、フィルム幅方向の寸法が第１の寸法を有する第１コマ画像と、第１の寸法よりも短い第２の寸法を有する第２コマ画像の少なくとも２種類のコマ画像を読み取るための第１搬送経路と、
現像済み第２写真フィルムに形成されたコマ画像を読み取るための第２搬送経路と、
コマ画像を読み取るため光源から照射される光が通過可能な読み取り開口部と、
第１搬送経路と第２搬送経路とを有する可動ユニットと、
この可動ユニットを固定本体側に対して移動させ、いずれかの搬送経路を読み取り開口部に位置させるためのユニット移動機構を備えた画像読取装置であって、
第２コマ画像が形成されている領域よりも幅方向外側を遮光するための第１遮光部と、
少なくとも第１遮光部が形成された遮光部材であって、幅方向両側に設けられた一対の遮光部材と、
これら遮光部材を駆動して、第１遮光部による遮光が行われない第１位置と、第１遮光部による遮光が行われる第２位置の、少なくとも２つの位置に切り替え可能にするための遮光駆動部とを備え、
さらに、この遮光駆動部は、駆動源と、
遮光部材を切り替え駆動する駆動部材とを備えており、
駆動源及び駆動部材が前記固定本体側に設けられ、遮光部材が可動ユニット側に設けられ、
第１搬送経路を読み取り開口部に位置させたときに、前記駆動部材と前記遮光部材とが連結されるように構成していることを特徴とするものである。
【００１３】
この構成による画像読取装置の作用・効果を説明する。この画像読取装置は、第１写真フィルム（例えば、１３５フィルム）と第２写真フィルム（例えば、ＡＰＳフィルム）の両方を扱うことができ、それぞれ第１搬送経路、第２搬送経路で搬送される。読み取り開口部は、第１搬送経路と第２搬送経路とで共通して使用するため、第１搬送経路と第２搬送経路は可動ユニットに設けられ、可動ユニットを移動させることで、いずれかの搬送経路を読み取り開口部に位置させる。１３５フィルムに形成されるコマ画像には、少なくとも２種類あり、第１コマ画像（例えばフルサイズ）と第２コマ画像（例えばパノラマサイズ）である。第２コマ画像はフィルム幅方向の寸法が第１コマ画像よりも短い。
【００１４】
第２コマ画像を読み取るときには、第１遮光部が形成された遮光部材を作動させて、第２コマ画像が形成されている領域よりも幅方向外側を遮光する。これにより、第２コマ画像を読み取るときに、素抜け部からの光が読取素子に到達することを防止し、スミア等の発生をなくすことができる。
【００１５】
遮光部材は、少なくとも第１位置と第２位置の２つの位置に切り替え可能に構成される。第２位置において、第１遮光部による遮光が行われるので、第２コマ画像を読み取るときは、遮光部材を第２位置に設定する。
【００１６】
遮光部材を駆動するための遮光駆動部は、駆動源と、遮光部材を切り替え駆動する駆動部材とを備えており、駆動源及び駆動部材が固定本体側に設けられ、遮光部材が可動ユニット側に設けられている。すなわち、配線が必要とされる駆動源等に付いては、可動ユニットに配置するのではなく、固定本体側に配置している。従って、可動ユニットには遮光部材を駆動するための配線が不要になるので、かかる配線の屈曲による断線等の問題はない。そして、第１搬送経路を読み取り開口部に位置させたときに、前記駆動部材と前記遮光部材とが連結される。これにより、第１写真フィルムの画像読み取りを行うに際して、遮光部材の駆動を行うことができる。第１写真フィルムと第２写真フィルムを扱う画像読取装置において、画像読み取り領域の一部を遮光する遮光部材を駆動制御するに際して、配線の屈曲による断線の問題等が生じない画像読取装置を提供することができる。
【００１７】
本発明において、前記一対の遮光部材を、連動して動作させるためのリンク機構が備えられていることが好ましい。
【００１８】
遮光部材は、フィルム幅方向の両側に一対設けられるので、これらを連動させる必要がある。そこで、リンク機構を用いることで、簡単な構成で連動機構を実現できる。
【００１９】
本発明において、読み取り対象であるコマ画像のサイズ情報に基づいて、遮光部材を切り替えできるように前記遮光駆動部を制御する遮光制御部が備えられていることが好ましい。
【００２０】
本スキャニングを行う前に、コマ画像のサイズ情報はすべて決まっている。そこで、このサイズ情報に基づいて、遮光部材の切り替え制御を行うことができる。
【００２１】
本発明に係る遮光部材には、第１の寸法と第２の寸法の間の第３の寸法を有する第３コマ画像を読み取るに際し、第３コマ画像が形成されている領域よりも幅方向外側を遮光するための第２遮光部が更に設けられていることが好ましい。
【００２２】
例えば、フルサイズの他に２通りのパノラマサイズが規定されている場合がある。この場合は、更に第３の寸法を有する第３コマ画像が存在することになる。この第３コマ画像に対応させて第２遮光部を更に遮光部材に設けている。これにより、少なくとも３種類のサイズのコマ画像に対して適切に遮光部を切り替え可能になる。
【００２３】
本発明において、第１コマ画像を読み取るに際して、写真フィルムに形成されているＤＸコードの領域を遮光できるように、第３遮光部が遮光部材に設けられていることが好ましい。
【００２４】
ネガフィルムに形成されているコマ画像がオーバー露光である場合、このコマ画像とＤＸコードとをＣＣＤセンサーで画像読み取りを行うと、ＤＸコードの素抜け部を透過して来た光によりスミヤやブルーミングという現象が生じやすくなり、画質低下を招く。そこで、幅方向寸法が一番大きな第１コマ画像を読み取る場合にもＤＸコードの領域を遮光することが好ましい。これにより、上記スミヤ等の現象をなくし、画質低下を防止することができる。
【発明を実施するための最良の形態】
【００２５】
本発明に係る画像読取装置の好適な実施形態を図面を用いて説明する。図１は、画像読取装置が用いられる写真処理システムの構成を示す模式図である。
【００２６】
＜写真処理システムの構成＞
図１は、現像済み写真フィルムに形成されているコマ画像を読み取りデジタルデータ化し、デジタル露光操作方式でペーパー（写真感光材料）に画像を焼付露光して写真プリントを作成する写真処理システムであり、画像読取装置１（フイルムスキャナー）とプリンタプロセッサーＰＲを備えている。画像読取装置１は、図１に示すように照明光学系２と、撮像光学系３と、フィルム搬送ユニット４（フィルムキャリア）とを備えている。
【００２７】
照明光学系２は、フィルムキャリア４内を搬送経路に沿って搬送される写真フィルムＦ（ネガフィルムやポジフィルム）に対して光を照射するために設けられる。照明光学系２は、光源部５と、調光フィルター６と、ミラートンネル７とを備えている。光源部５は、例えば、ハロゲンランプであり、赤（Ｒ）緑（Ｇ）青（Ｂ）の３色の夫々に対応する波長領域の光が含まれている。調光フィルター６は、光源部５からの放射光の色分布を必要に応じて整えるためのものである。従って、光源部５から照射される光は、調光フィルター６とミラートンネル７によって、その色分布や強度分布が調整された後に、写真フィルムＦに照射される。
【００２８】
撮像光学系３は、ズームレンズを含むレンズユニット８と、写真フィルムＦを通過した光を受光するＣＣＤラインセンサー９（以下、ＣＣＤセンサーと省略）を備えている。レンズユニット８は、写真フィルムＦを通過した光をＣＣＤセンサー９上に結像させるために設けられる。なお、図１では、レンズユニット８として１枚のレンズのみが図示されているが、複数のレンズで構成されていても良い。
【００２９】
ＣＣＤセンサー９は、写真フィルムＦの搬送方向（図１の矢印方向であり副走査方向に相当）に直交する方向（主走査方向に相当）に沿って配置されたライン状のセンサーである。ここでＣＣＤセンサー９は、主走査方向つまり写真フィルムＦの幅方向と平行に配列される多数の画素（ピクセル）を有している。ＣＣＤセンサー９は、カラー画像データを取得するために、副走査方向上流側から下流側に沿って互いに所定間隔だけ離間して配置された３つのラインセンサー９ａ，９ｂ，９ｃを備えている。
【００３０】
各ラインセンサー９ａ，９ｂ，９ｃの各撮像面には、Ｒ，Ｇ，Ｂの色分解フィルターのいずれかが夫々取り付けられており、Ｒ，Ｇ，Ｂの各色に対応するように割り当てられている。つまり、赤色に対応するラインセンサー９ａの撮像面には写真フィルムＦを透過した光の赤色成分のみを通過させるカラーフィルタが、これと同様に、緑色に対応するラインセンサー９ｂの撮像面には緑色成分のみを通過させるカラーフィルタが、青色に対応するラインセンサー９ｃの撮像面には青色成分のみを通過させるカラーフィルタが取り付けられている。
【００３１】
データ処理部１０は、各ラインセンサー９ａ，９ｂ，９ｃの画素から出力される各画素信号をサンプルホールドすることにより、各画素信号を連続した画像信号にするとともに、この各画素信号を所定のビット数のデジタル信号に変換した後に、画像処理部１１に送出する。また、画像処理部１１では、オペレータにより入力された色・濃度の補正データに基づいた画像処理や、写真プリント作成のために必要とされる種々の画像補正処理を実行する機能を有する。画像処理部１１で画像処理が施されたコマ画像の画像データは、露光エンジン１３に転送される。
【００３２】
次に、プリンタプロセッサーＰＲの構成を説明する。ペーパーマガジンＭ１，Ｍ２には、写真感光材料であるペーパーがロールの形態で収容されている。いずれか一方のペーパーマガジンＭ１．Ｍ２から長尺状のペーパーが引き出されていき、搬送経路途上に設けられたペーパーカッター１４によりプリントサイズにカットされる。振り分け搬送機構１５により、ペーパーは１列から複列に搬送状態が切り替えられる。
【００３３】
露光エンジン１３は、画像処理部１１から転送されてきた画像データに基づいて、ペーパーに画像を焼付露光する。露光エンジン１３は、レーザーエンジン、ＰＬＺＴエンジン等の種々の構造のものを採用することができる。画像が焼付露光されたペーパーは、搬送機構１６により搬送されて現像処理部１７に送り込まれる。現像処理部１７にて現像処理が施され、乾燥処理部１８で乾燥処理が施された後、ペーパー排出部１９から仕上がりの写真プリントが装置外部に排出される。
【００３４】
＜フィルム搬送ユニットの構成＞
次にフィルム搬送ユニットの構成を図２により説明する。本実施形態においてフィルム搬送ユニットは、現像済み写真フィルム（ネガフィルム及びポジフィルム）に形成されたコマ画像を読み取りデジタルデータ化するための装置（フィルムスキャナー）として用いられる。図２はフィルム搬送ユニットの平面図、図３は１３５フィルム処理系に関しての主要断面図である。図２は、ユニットの開閉可能なカバーをはずした状態を示している。
【００３５】
図２に示すように、１３５フィルムを搬送させるための第１搬送経路Ｒ１と、ＡＰＳフィルムを搬送させるための第２搬送経路Ｒ２とが平行な状態に配置されている。第１搬送経路Ｒ１は１３５フィルムを挿入するための挿入口２０が最上流部（図２の右端）に設けられ、さらに、フィルムを搬送するための搬送ローラ対２１が第１搬送経路Ｒ１に沿って設けられている。第１搬送経路Ｒ１の途上にも、画像読み取りを行うためのスリット状の第１開口部Ｋ１が設けられている。さらに、フィルムの挿入を検出するフィルムセンサー２２やフィルムに形成されたパーフォレーション（孔）を検出するための検出センサー２３が設けられる。第１搬送経路Ｒ１の終端には、写真フィルムを一時的に巻き取り収容する巻き取り部２４が設けられている。巻き取り部２４には、フィルムを巻き取るための巻き取り用ドラム２４ａと、写真フィルムをドラムの方向に押し付けるためのフィルム押さえ機構２５が設けられている。
【００３６】
次にＡＰＳフィルムの第２搬送経路Ｒ２について説明する。ＡＰＳフィルムは、カートリッジに収容された状態になっており、カートリッジからＡＰＳフィルムを引き出すためのカートリッジ駆動部３０が設けられている。第２搬送経路Ｒ２には、搬送経路に沿って搬送ローラ対３１が配置されており、写真フィルムを搬送する機能を有する。搬送経路Ｒ２の入口部近傍には、フィルムセンサー３２が設けられている。また、ＡＰＳフィルムの磁気記録層に形成された磁気データを読み取るための磁気ヘッド３３が設けられている。搬送経路Ｒ２の終端近傍には、写真フィルムに形成されているパーフォレーション（孔）を検出するための検出センサー３４が設けられる。第２搬送経路Ｒ２の終端には、写真フィルムを一時的に巻き取り収容する巻き取り部３５が設けられている。また、第２搬送経路Ｒ２の経路途中には、画像読み取りを行うためのスリット状の第２開口部Ｋ２が設けられる。
【００３７】
以上のように、１３５フィルムとＡＰＳフィルムとで別々に読み取り用の第１・第２開口部Ｋ１，Ｋ２が設けられているが、読み取り光学系は１つしか設けられていないので、いずれか１つの開口部Ｋ１，Ｋ２を読み取り光軸に位置させるためのユニット移動機構が設けられている。すなわち、第１搬送経路Ｒ１と第２搬送経路Ｒ２はユニット化されており、可動搬送ユニット２９（可動ユニットに相当）を構成している。フィルムを搬送させるための駆動機構もこの可動搬送ユニット２９に搭載されている。可動搬送ユニット２９は、図２に示す矢印Ｃ，Ｄ方向（フィルムの幅方向に相当）に沿って移動可能に構成されている。可動搬送ユニット２９の移動機構として、電動モータ３７とネジ送り機構３８を備えており、さらに一対のガイドレール３６も設けられている。従って、電動モータ３７を駆動することで、可動搬送ユニット２９を矢印Ｃ，Ｄ方向に移動させることができる。電動モータ３７、ネジ送り機構３８、ガイドレール３６は、ユニット移動機構として機能する。
【００３８】
なお、移動機構としては、本実施形態に限定されるものではなく、他の機構を採用してもよい。例えば、ネジ送り機構ではなく、ギヤによる減速機構を用いた移動機構を採用してもよい。さらに、移動機構としては電動式によるものではなく、手動で可動搬送ユニット２９を移動させるような構成を採用してもよい。
【００３９】
＜遮光機構の構成＞
次に遮光機構の説明を行う。まず、遮光機構が必要とされる理由を図４により説明する。１３５フィルムに形成されるコマ画像の大きさとして、図４（ａ）に示すように、３通り存在する。これらのサイズは、フィルム長手方向は同じ寸法であるが、フィルム幅方向において異なる。フルサイズ（第１コマ画像＝１３５Ｃ）は第１の寸法Ｂ１（２４ｍ）を有し、第１パノラマサイズ（第２コマ画像＝１３５Ｐ）は第２の寸法Ｂ２（１３ｍｍ）を有し、第２パノラマサイズ（第３コマ画像＝１３５ＨＤ）は第３の寸法Ｂ３（２０．３ｍｍ）を有する。
【００４０】
第１パノラマサイズの画像の場合、画像サイズとフィルムとの関係は図４（ｂ）に示す通りである。写真フィルムがネガフィルムの場合で、コマ画像がオーバー露光の状態だと画像部分の濃度が濃くなるが、画像が形成されている領域の幅方向外側は露光がされていない素抜け部となっているため濃度が薄く、そのため両者の濃度差が大きくなる。そのため、素抜け部を透過して来た光がＣＣＤセンサー９に入力されるとスミヤという現象が生じる。また、オーバー露光の画像を読み取るためにＣＣＤの電荷蓄積時間を長くすると、素抜け部のＣＣＤの電荷がオーバーフローしてしまい（ブルーミング現象）、画像の読み取り品質を低下してしまう。以上のことから素抜け部を遮光した形で、画像の読み取りを行う必要がある。そのために、遮光機構が設けられる。以上の点は、ポジフィルムのアンダー露光のコマ画像についても同じ現象である。
【００４１】
図５は、遮光機構を構成する遮光部材の切り替え設定位置を示す図である。図５は、本スキャニングにおいて、（ａ）フルサイズ画像を読み取る場合の設定位置（第１位置）、（ｂ）第２パノラマ画像を読み取る場合の設定装置（第３位置）、（ｃ）第１パノラマ画像を読み取る場合の設定装置（第２位置）である。フィルム幅方向両側に、一対の遮光部材４０が設けられており、回転軸芯４０ａ回りに回転可能に軸支されている。一対の遮光部材４０は、類似の形状を有している。遮光部材４０は、回転軸芯４０ａから放射状に延びる第１遮光部４０ｂと、第２遮光部４０ｃとが一体形成されている。第１遮光部４０ｂは、第１パノラマ画像が形成されている領域よりも幅方向外側を遮光する。これを図５（ｃ）に示す。第２遮光部４０ｃは、第２パノラマ画像が形成されている領域よりも幅方向外側を遮光する。これを図５（ｂ）に示す。図５（ａ）はフルサイズ画像を読み取る時であり遮光はされていない。
【００４２】
遮光部材４０を図５（ａ）の状態になるように付勢する付勢バネ４１が設けられている。付勢バネ４１は、ネジリコイルバネにより構成され、図５（ａ）において左側の遮光部材４０が時計方向に回転するように付勢する。付勢バネ４１の第１腕４１ａは、第１遮光部４０ｂに掛けられており、第２腕４１ｂは、可動搬送ユニット２９に設けられたピン２９ａに掛けられている。また、一方の遮光部材４０と他方の遮光部材４０とはリンクレバー４２により連結されており、これらはリンクピン４０ｅ，４０ｆにより連結される。これにより、リンク機構が構成され、一対の遮光部材４０を同時に作動させることができる。リンクレバー４２を幅方向に沿って移動させることで、一対の遮光部材４０が同時に回転作動する。
【００４３】
リンクレバー４２は、幅方向に沿ったバー状に形成されており、その一端に被係合部４２ａが設けられており、駆動部材４３の係合部４３ａと片当り状態で連結可能に構成されている。一対の遮光部材４０、付勢バネ４１と、リンクレバー４２とは、可動搬送ユニット２９に搭載されている。
【００４４】
図６，７は、遮光駆動部と遮光機構とを示す斜視図であり、図６は図５（ｃ）の状態を示し、図７は図５（ｂ）の状態を示す。駆動源としてのソレノイド４４が設けられており、その出力部には駆動部材４３が連結される。駆動部材４３には、フィルム幅方向に沿ったガイド長孔４３ｂが形成され、ガイドピン４５が嵌合される。駆動部材４３には、先ほど説明したように係合部４３ａが設けられている。
【００４５】
ソレノイド４４は、２段階ソレノイドであり、総ストロークの中間位置でも位置設置することができる。これにより、図５に示すような第１・第２・第３位置の３つの位置を設定することができる。第１位置（図５（ａ））では、リンクレバー４２の被係合部４２ａが、駆動部材４３の係合部４３ａに当接しており、付勢バネ４１の付勢力に抗して図示の状態となっている。また、この状態はソレノイド４４が駆動されていない状態である。ソレノイド４４と駆動部材４３とは、固定本体側に搭載される。
【００４６】
ソレノイド４４を駆動し、ストロークの中間位置に設定したのが第３位置（図５（ｂ））であり、ソレノイド４４の駆動により駆動部材４３は図の矢印Ｇ方向に駆動する。これに連動して、遮光部材４０も付勢バネ４１に抗して更に回転され、第２遮光部４０ｃによる遮光を行うことができる。被係合部４２ａと係合部４３の連結状態（片当り状態）も維持されている。さらにソレノイド４４を駆動し、最もストロークの大きな状態が第２位置（図５（ｃ））である。図５（ｂ）の状態から、更に駆動部材４３が矢印Ｇ方向に駆動される。これに連動して、遮光部材４０は更に回転され、第１遮光部４０ｂによる遮光を行うことができる。
【００４７】
図８は、可動搬送ユニット２９を移動させてＡＰＳフィルムの処理を行う状態を示す。すなわち、 第２搬送経路Ｒ２の第２開口部Ｋ２が、画像読み取り光学系に位置させられている。図５等で示す遮光機構は、１３５フィルムの場合にのみ必要な機構である。ＡＰＳフィルムの場合は、撮影されるコマ画像はすべてフルサイズの大きさであるため、１３５フィルムのような素抜け部によるスミヤ等の問題が生じない。ＡＰＳフィルムの場合は、画像サイズ情報は、ＡＰＳフィルムに設けられた磁気記録層に記録されており、これに基づいて、パノラマサイズの写真プリントを作成することができる。図８に示すように、可動搬送ユニット２９を矢印Ｄ方向（図２参照）に移動させると、被係合部４２ａと係合部４３ａとの係合（連結状態）状態が解除される。
【００４８】
次に制御機構を図８により説明する。遮光駆動部は、ソレノイド４４への電源供給などのために電気配線が必要である。一方、遮光部材４０やリンクレバー４２は配線は必要ない。配線が必要な遮光駆動部は、固定本体側に設けられているため配線について、設計上の特別な考慮は不要である。可動搬送ユニット２９に搭載される部材に配線を要する場合は、可動搬送ユニット２９の移動により配線が移動するため、配線の屈曲により断線する可能性があるが、本発明の場合はかかる問題はない。駆動回路５０は、ソレノイド４４を駆動する電子回路である。コマ画像検出部５３は、写真フィルムのコマ画像の何コマ目の画像読み取りを行っているかを検出することができる。画像サイズ設定部５２には、各コマ画像の画像サイズ情報が設定されている。遮光制御部５１は、コマ画像検出部５３による検出結果と、画像サイズ設定部５２に設定されているデータに基づいて、ソレノイド４４に対する駆動制御を行う。
【００４９】
＜スキャニング動作＞
次に、スキャニング動作について図９，１０のフローチャートにより説明する。図９は、プレスキャニングの時の動作を説明するフローチャートである。現像済みの写真フィルム（１３５フィルム）をフィルム挿入口２０から挿入する（＃１）。フィルムセンサー２２によりフィルム先端が検出されると、不図示のモータにより搬送ローラ対２１が駆動される（＃２，３）。これにより、フィルムの搬送が開始され、フィルム先端が第１開口部Ｋ１に到達すると、画像読み取りが開始される（＃４）。この時の画像読み取りは、プレスキャニングであり、低解像度による読み取りが行われる。写真フィルムは巻き取り部２４に次第に巻き取られつつ、読み取りが平行して行われる（＃５）。画像読み取りが終了すると、モータを停止させ写真フィルムの搬送を停止する（＃６）。
【００５０】
なお、プレスキャニング動作のときは、遮光部材４０による遮光は行わない。パノラマ画像の場合であっても遮光は行わない。プレスキャニングの時に読み取る画像はプレジャッジのために用いられ、写真プリントの作成には用いられない。従って、本スキャニングの場合のように高度の画質を要求されることがないからである。従って、遮光部材４０は、常に図５（ａ）の第１位置に設定された状態であり、ソレノイド４４はＯＦＦの状態である。
【００５１】
読み取られた画像をモニター画面に表示させ、色・濃度の判定やその他の写真処理に必要な作業（プレジャッジ）が行われる（＃７）。このプレジャッジ作業を行うための画像読み取りであるため、プレスキャニングは低解像度での画像読み取りとなる。オペレータは、個々の画像について、色・濃度の判定を行い、必要に応じて色・濃度の補正データを入力する。また、個々のコマ画像の画像サイズについても、このプレジャッジにより最終決定することができる。プレスキャニングによる画像読み取りで個々の画像のサイズを自動判定するが、オペレータの手動入力により変更することもできる。以上のように、プレジャッジ作業が終了すると、全コマ画像についての画像サイズは決定される。
【００５２】
次に本スキャニングを図１０のフローチャートにより説明する。プレスキャニングが終了した状態であり、写真フィルムは巻き取り部２４に巻き取られた状態となっている。そこで、写真フィルムをプレスキャニングとは逆方向（図３の矢印Ｂ方向）に搬送させる（＃１０）。また、写真フィルムの搬送開始と共に、検出センサー２３によりフィルムのパーフォレーションの検出も行われる（＃１１）。これにより、写真フィルムの搬送状態を監視できると共に、第１開口部Ｋ１で読み取られる画像が何コマ目であるかも常時把握することができる（＃１２）。すなわち、 パーフォレーションは１コマ当り８個形成されているため、これをカウントすることで読み取り対象となっている画像のコマ番号を認識することができる。
【００５３】
このコマ画像の検出と、画像サイズ設定部５２に設定されている画像サイズ情報に基づいて、遮光部材４０を第１位置から第３位置のどの位置に設定すべきかを設定可能になる（＃１３）。ちなみに、第１位置はソレノイド４４への通電がＯＦＦの状態、第２位置はフルストローク作動させた状態、第３位置は、中間ストローク作動させた状態である。パノラマ画像の場合は、遮光部材４０による遮光がされた状態で画像読み取りが行われ、フルサイズ画像の場合は遮光がされない状態で画像読み取りが行われる（＃１４）。これを全コマについて行い（＃１５）、全コマの読み取りが終了すると、写真フィルムをそのまま挿入口２０から排出させ（＃１６）、モータを停止する（＃１７）。なお、本スキャニングにより読み取られる画像データは、高解像度で行われ、写真プリントの作成のために用いられる。
【００５４】
＜遮光機構の別実施形態＞
次に、遮光部材４０の別実施形態を図１１により説明する。この遮光部材４０は、第１遮光部４０ｂ、第２遮光部４０ｃに加えて第３遮光部４０ｄを更に備えている点が特徴である。第１遮光部４０ｂ、第２遮光部４０ｃの機能は、既に説明したのと同じであるので説明を省略する。第３遮光部４０ｃは、図１１に示すようにＤＸコードＦＢを遮光する機能を有している。ＤＸコードＦＢは、１次元バーコードの形態を有しており、コマ番号やＩＳＯ感度等のフィルムに関する情報が記録されており、フィルムの製造段階から潜像として記録されている。ＤＸコードＦＢの領域を遮光する理由は、既に述べたパノラマ画像の場合と同じ理由である。すなわち、 バーコードには、素抜け部が含まれており、同じようにスミヤ等の問題が生じる。遮光部材４０は、図５で説明した３つの位置に加えて、ＤＸコードＦＢを遮光させるための第４の位置（図１１で示す位置）にも設定することができる。
【００５５】
一対の遮光部材４０は、リンクレバー４２により連結することができる。リンクレバー４２を駆動するための遮光駆動部として、駆動伝達部５５とモータ５６（駆動源に相当）とを備えている。遮光部材４０を４つの位置に設定できるようにするため、モータ５６を使用している。制御機構に関しては、図８と同じにすることができる。この場合も、遮光駆動部は、固定本体側に設置される。
【００５６】
プレスキャニングのときは、遮光部材４０による遮光動作は行わない。ＤＸコードＦＢも含めた全幅についての画像が取得され、画像処理によりＤＸコードＦＢに記録されているデータを解析する。本スキャニングのときは、フルサイズ画像を読み取る時は、遮光部材４０を第４位置に設定する。これにより、フルサイズ画像を読み取るときにＤＸコードＦＢの領域を遮光した状態で画像読み取りを行うことができる。パノラマ画像の読み取りは、既に図９，１０で説明した通りである。
【００５７】
＜別実施形態＞
本実施形態では、遮光部材を写真フィルムのフィルム面下方に設けているが、これを上方に設けてもよい。第１実施形態の遮光駆動部では、ソレノイドを使用しているが、これに限定されるものではなく、モータ及びこれに連結される減速ギヤ列等の駆動伝達機構を使用してもよい。一対の遮光部材を連動させる機構としてリンク機構を用いているが、これに変えて、カムやギヤを用いた機構を採用してもよい。
【００５８】
一対の遮光部材を別々の駆動源により駆動するように構成してもよい。この場合は、一対の遮光部材が同期作動できるように各駆動源を制御する。ソレノイド４４のタイプとしては、本実施形態のようにプルタイプではなく、プッシュタイプを使用してもよい。プッシュタイプに適した遮光駆動部を構成することもできる。
【図面の簡単な説明】
【００５９】
【図１】画像読取装置は用いられる写真処理システムの構成を示す模式図
【図２】フィルム搬送ユニットの構成を示す平面図
【図３】１３５フィルムの画像読み取り処理系の構成を示す図
【図４】遮光機構が必要とされる理由を説明する図
【図５】遮光機構の切り替え状態を示す平面図
【図６】遮光機構の切り替え状態を示す斜視図
【図７】遮光機構の切り替え状態を示す斜視図
【図８】可動搬送ユニットを切り換えた状態を示す図
【図９】プレスキャニング動作を説明するフローチャート
【図１０】本スキャニング動作を説明するフローチャート
【図１１】別実施形態に係る遮光部材の構成を示す図
【符号の説明】
【００６０】
１        画像読取装置
４        フィルム搬送ユニット
２９      可動搬送ユニット
４０      遮光部材
４０ａ    回転軸芯
４０ｂ    第１遮光部
４０ｃ    第２遮光部
４１      付勢バネ
４２      リンクレバー
４２ａ    被係合部
４３      駆動部材
４３ａ    係合部
４３ｂ    ガイド長孔
４４      ソレノイド
４５      ガイドピン
５０      駆動回路
５１      遮光制御部
５２      画像サイズ設定部
５３      コマ画像検出部
Ｆ        写真フィルム
Ｒ１      第１搬送経路
Ｒ２      第２搬送経路
Ｋ１      第１開口部
Ｋ２      第２開口部
Ｂ１      第１の寸法
Ｂ２      第２の寸法
Ｂ３      第３の寸法
【図１】
2005275314.tif 000003
【図２】
2005275314.tif 000004
【図３】
2005275314.tif 000005
【図４】
2005275314.tif 000006
【図５】
2005275314.tif 000007
【図６】
2005275314.tif 000008
【図７】
2005275314.tif 000009
【図８】
2005275314.tif 000010
【図９】
2005275314.tif 000011
【図１０】
2005275314.tif 000012
【図１１】
2005275314.tif 000013